(57)【要約】  【課題】  送信装置の現用系から予備系への切替時間が、発振部と変調部及び送信部の何れの異常に際しても同じになるようにした二重系自動切換装置を提供すること。  【解決手段】  発振異常検出部８と入力異常検出部１１及び出力異常検出部１４の各々から、発振異常検出信号ａと入力異常検出信号ｃ及び出力異常検出信号ｅを入力する制御部１６を設け、入力異常検出信号ｃだけが入力されたときは遅延タイマー１２の遅延時間Ｄ２を時間Ｄ１に変更し、出力異常検出信号ｅだけが入力されたときは遅延タイマー１５に設定されている遅延時間Ｄ３を時間Ｄ１に変更するようにしたもの。  【選択図】  図１
2005348132.tif 000002
【特許請求の範囲】
【請求項１】
２台の発振部と、これら発振部を現用系と予備系に切替える発振切替部と、該発振切替部で選択された発振部から信号が供給される２台の変調部と、これらの変調部を現用系と予備系に切替える入力切替部と、該入力切替部で選択された変調部から信号が供給される２台の送信部と、これらの送信部を現用系と予備系に切替える出力切替部と、前記発振切替部の出力から異常を検出して、発振異常検出信号を発生する発振異常検出部と、前記入力切替部の出力から異常を検出して入力異常検出信号を発生する入力異常検出部と、前記出力切替部の出力から異常を検出して出力異常検出信号を発生する出力異常検出部と、前記発振異常検出信号を時間Ｄ１遅延させて前記発振切替部に供給する第１の遅延部と、前記入力異常検出信号を時間Ｄ２(Ｄ２＞Ｄ１)遅延させて前記入力切替部に供給する第２の遅延部と、前記出力異常検出信号を時間Ｄ３(Ｄ３＞Ｄ２)遅延させて前記出力切替部に供給する第３の遅延部とを備えた送信装置の二重系自動切替装置において、
前記発振異常検出信号と前記入力異常検出信号及び前記出力異常検出信号を入力する制御部を設け、
前記入力異常検出信号だけが入力されたときは前記第２の遅延部に設定されている時間Ｄ２を時間Ｄ１に変更し、前記出力異常検出信号だけが入力されたときは前記第３の遅延部に設定されている時間Ｄ３を時間Ｄ１に変更する動作が前記制御部により実行されるように構成したことを特徴とする二重系自動切替装置。
【発明の詳細な説明】
【技術分野】
【０００１】
本発明は、送信機を現用系と予備系に自動的に切換えるための二重系自動切換装置に係り、特に、地上波ディジタルテレビジョン放送用の送信設備に好適な二重系自動切換装置に関する。
【背景技術】
【０００２】
放送用など公共性が高い送信設備では、送信系統を少なくとも二重化しておき、一方を現用系とし他方を予備系とすることにより、高い信頼性が得られるようにしているのが通例であるが、この場合、現用系と予備系を自動的に切換えるための装置、いわゆる二重系自動切換装置が必要である(例えば、特許文献１参照)。
【０００３】
ここで、図３は、このような二重系自動切換装置の従来技術を備えた地上波ディジタルテレビジョン送信機の一例で、２台の発振器１、２と、同じく２台のＯＦＤＭ変調器３、４、それに、同じく２台の送信機５、６を備え、各々２台の内の一方を例えば現用系Ｘとし、他方は予備系Ｙとする。なお、ＯＦＤＭとは直交周波数分割変調のことてある。
【０００４】
そして、まず発振器１、２は、所定の周波数の正弦波信号を発生する。そして、この正弦波信号は、発振切替部７により現用系Ｘと予備系Ｙの一方が選択されて取り出され、発振異常検出部８を介してＯＦＤＭ変調器３、４の各々に供給され、ＯＦＤＭ変調の基準信号ＲＥＦとして使用される。
【０００５】
このとき、ＯＦＤＭ変調器３、４には、それぞれテレビジョン放送用の入力信号が入力されている。そこで、この入力信号が各ＯＦＤＭ変調器３、４でＯＦＤＭ変調され、各ＯＦＤＭ変調器３、４から出力されたＯＦＤＭ信号が入力切替部１０に供給される。そして、この入力切替部１０でも同じく現用系Ｘと予備系Ｙの一方が選択され、送信機５、６に供給される。
【０００６】
そこで、送信機５、６は、以上のようにして入力されたＯＦＤＭ信号に、必要に応じて周波数変換を施し、所定のレベルに電力増幅する。そして、各々の送信出力信号を出力切替部１３に供給し、ここで同じく現用系Ｘと予備系Ｙの一方が選択され、アンテナなどの伝送系に出力される。
【０００７】
このとき、まず、発振異常検出部８は、発振切替部７で選択された基準信号ＲＥＦのレベルを監視し、レベルが予め設定してある判定用の閾値以下のとき、異常が検出されたものとして、発振異常検出信号ａを発生し、次に、入力異常検出部１１は、入力切替部１０で選択されたＯＦＤＭ信号のレベルを監視し、レベルが予め設定してある判定用の閾値以下のとき、異常が検出されたものとして、入力異常検出信号ｃを発生し、そして、出力異常検出部１４は、出力切替部１４で選択された送信出力信号のレベルを監視し、レベルが予め設定してある判定用の閾値以下のとき、異常が検出されたものとして、出力異常検出信号ｅを発生する。
【０００８】
次に、各切替部７、１０、１３の動作について説明すると、この従来技術では、これらを動作されるため、図示のように、遅延タイマー９、１２、１５がそれぞれ設けられている。
【０００９】
そして、まず、発振切替部７は、遅延タイマー９から出力されるタイマ信号ｂにより切替動作される。そして、この遅延タイマー９は、発振異常検出部８から出力される発振異常検出信号ａをトリガとして動作し、この発振異常検出信号ａが入力された時点から遅延時間Ｄ１が経過した後、ローレベルからハイレベルになるタイマ信号ｂを発生する。
【００１０】
このとき、発振切替部７は、タイマ信号ｂがローレベルになっているとき、つまり通常時は現用系Ｘの発振器１の出力を選択しているが、タイマ信号ｂがハイレベルになると、予備系Ｙの発振器２の出力に切替わるようになっている。
【００１１】
次に、入力切替部１０は、遅延タイマー１２から出力されるタイマ信号ｄにより切替動作される。そして、この遅延タイマー１２は、入力異常検出部１１から出力される入力異常検出信号ｃをトリガとして動作し、この異常検出信号ｄが入力された時点から遅延時間Ｄ２が経過した後、レベルがハイレベルになるタイマ信号ｄを発生する。
【００１２】
このとき、入力切替部１０は、タイマ信号ｄがローレベルになっているとき、つまり通常時は通常は現用系ＸのＯＦＤＭ変調器３の出力を選択しているが、タイマ信号ｄがハイレベルになると、予備系ＹのＯＦＤＭ変調器４の出力に切替わるようになっている。
【００１３】
また、出力切替部１３は、遅延タイマー１５から出力されるタイマ信号ｆにより切替動作される。そして、この遅延タイマー１５は、出力異常検出部１４から出力される出力異常検出信号ｅをトリガとして動作し、この出力異常検出信号ｅが入力された時点から遅延時間Ｄ３が経過した後、レベルがハイレベルになるタイマ信号ｆを発生する。
【００１４】
このとき、入力切替部１０は、タイマ信号ｆがローレベルになっているとき、つまり通常時は通常は現用系Ｘの送信機５の出力を選択しているが、タイマ信号ｆがハイレベルになると、予備系Ｙの送信機６の出力に切替わるようになっている。
【００１５】
次に、この従来技術の動作について説明すると、ここで、まず、遅延タイマー９、１２、１５の遅延時間Ｄ１、Ｄ２、Ｄ３については、Ｄ１＜Ｄ２＜Ｄ３に設定してある。このとき、遅延時間Ｄ１は、発振異常検出部８による異常検出が確実に得られるのに必要な時間に設定され、遅延時間Ｄ２は、(Ｄ１＋τ)に設定され、そして、遅延時間Ｄ３は(Ｄ２＋τ＝Ｄ１＋２τ)に設定されているものとする。ここで、τは余裕時間で、詳細は後述する。
【００１６】
ここで、まず、図４は、或る時刻Ｔ１で現用系Ｘの発振器１にだけ異常が発生した場合の動作で、この場合、時刻Ｔ１で発振異常検出部８の発振異常検出信号ａがハイレベルに立ち上がるので、この後、遅延時間Ｄ１が経過した時点Ｔ２でタイマ信号ｂがハイレベルになり、この結果、この時点Ｔ２で現用系Ｘから予備系Ｙの発振器２に切替わる。
【００１７】
このとき、時刻Ｔ１では、現用系Ｘの発振器１に異常が発生したことから、ＯＦＤＭ変調器３、４に対する基準信号ＲＥＦの供給も途絶えるので、入力異常検出部１１の入力異常検出信号ｃもハイレベルになり、更に、このことから、ＯＦＤＭ変調器３、４から送信機５、６に対する変調信号の供給も途絶えてしまうので、出力異常検出部１４の出力異常検出信号ｆもハイレベルになってしう。
【００１８】
しかし、この場合、各遅延タイマー１２、１５の遅延時間Ｄ２、Ｄ３については、遅延タイマー９の遅延時間Ｄ１に対して、上記したように、Ｄ１＜Ｄ２＜Ｄ３の関係に設定してあるので、時点Ｔ２でタイマ信号ｂがハイレベルになり、現用系Ｘの発振器１から予備系の発振器２に切替わった後も、遅延タイマー１２のタイマ信号ｄと遅延タイマー１５のタイマ信号ｅはローレベルにとどまっている。
【００１９】
そして、時刻Ｔ１以後、遅延タイマー１２の遅延時間Ｄ２が経過した時点Ｔ３で予備系Ｙの発振器２に切替わってしまうので、この時点Ｔ３以降も入力異常検出部１１の異常検出信号ｄはローレベルのままにとどまり、遅延時間Ｄ３経過後の時刻Ｔ４でも出力異常検出部１４の出力異常検出信号ｅはローレベルにとどまるので、発振切替部７だけの最小限の切替動作で自動的に現用系から予備系に切替えることができる。
【００２０】
次に、図５は、時刻Ｔ１で、今度は現用系ＸのＯＦＤＭ変調器３にだけ異常が発生した場合で、この場合、時刻Ｔ１で入力異常検出部１１の入力異常検出信号ｃがハイレベルに立ち上がる。そして、この後、遅延時間Ｄ２が経過した時点Ｔ３でタイマ信号ｄがハイレベルになり、現用系ＸのＯＦＤＭ変調器３から予備系ＹのＯＦＤＭ変調器４に切替わる。
【００２１】
このとき、時刻Ｔ１では、現用系ＸのＯＦＤＭ変調器３に異常が発生したことから、送信機５、６に対する変調信号の供給も途絶えるので、出力異常検出部１４の出力異常検出信号ｅもハイレベルになってしまう。
【００２２】
しかし、この場合、遅延タイマー１５の遅延時間Ｄ３については、遅延タイマー１２の遅延時間Ｄ２に対して、上記したように、Ｄ２＜Ｄ３の関係に設定してあるので、時点Ｔ３でタイマ信号ｄがハイレベルになり、現用系ＸのＯＦＤＭ変調器３から予備系ＹのＯＦＤＭ変調器４に切替わった後も、遅延時間Ｄ３がまだ経過していないので、遅延タイマー１５のタイマ信号ｆは、そのままローレベルにとどまっている。
【００２３】
そして、時刻Ｔ１以後、遅延時間Ｄ３が経過し時点Ｔ４になったときは、予備系ＹのＯＦＤＭ変調器４に切替わっているので、出力異常検出信号ｅもローレベルに戻ってしまうことになり、この結果、タイマ信号ｆはローレベルのままにどどまり、従って、入力切替部１１だけの最小限の切替動作で自動的に現用系から予備系に切替えることができる。
【００２４】
更に、図６は、時刻Ｔ１で、今度は現用系Ｘの送信機５にだけ異常が発生した場合で、この場合、時刻Ｔ１で出力異常検出部１４の出力異常検出信号ｅがハイレベルに立ち上がる。そして、この後、遅延時間Ｄ３が経過した時点Ｔ３でタイマ信号ｆがハイレベルになり、現用系Ｘの送信機５から予備系Ｙの送信機６に切替わり、この結果、出力切替部１４だけの最小限の切替動作で自動的に現用系から予備系に切替えることができる。
【００２５】
ここで、上記した余裕時間τは、自動切替に際して、前段の切替えが確実に得られるまで、後段の機器の切替を遅らせるための時間であり、これにより、Ｄ２＝Ｄ１＋τ、Ｄ３＝Ｄ２＋τ＝Ｄ１＋２τの関係が成立し、上記したように、Ｄ１＜Ｄ２＜Ｄ３となるようにしたものである。
【特許文献１】特開平１０−２９０２０６号公報
【発明の開示】
【発明が解決しようとする課題】
【００２６】
上記従来技術は、発振器と変調器、それに送信機に区分して現用系と予備系に切替える方式の送信装置において、切替時間の短縮に配慮がされておらず、後段機器だけの異常発生に際しても切替時間の短縮が得られないという問題があった。
【００２７】
従来技術では、上記の図４〜図６から明らかなように、図４の前段の発振器１、２での異常発生の場合は、時間Ｄ１の遅れだけで現用系から予備系への切替えが得られるが、中段のＯＦＤＭ変調器３、４の場合は、図５に示されているように、時間Ｄ２(＝Ｄ１＋τ)経過後になり、更に、後段の送信機５、６の場合には、図６に示されているように、時間Ｄ３(＝Ｄ１＋２τ)経過後になっていて、後段ほど現用系から予備系への切替に時間遅れが多くなってしまうことが判る。
【００２８】
本発明は、このような従来技術の状況に鑑みてなされたもので、その目的は、送信装置の現用系から予備系への切替時間が、発振部と変調部及び送信部の何れの異常に際しても同じになるようにした二重系自動切換装置を提供することにある。
【課題を解決するための手段】
【００２９】
上記目的は、２台の発振部と、これら発振部を現用系と予備系に切替える発振切替部と、該発振切替部で選択された発振部から信号が供給される２台の変調部と、これらの変調部を現用系と予備系に切替える入力切替部と、該入力切替部で選択された変調部から信号が供給される２台の送信部と、これらの送信部を現用系と予備系に切替える出力切替部と、前記発振切替部の出力から異常を検出して、発振異常検出信号を発生する発振異常検出部と、前記入力切替部の出力から異常を検出して入力異常検出信号を発生する入力振異常検出部と、前記出力切替部の出力から異常を検出して出力異常検出信号を発生する出力振異常検出部と、前記発振異常検出信号を時間Ｄ１遅延させて前記発振切替部に供給する第１の遅延部と、前記入力異常検出信号を時間Ｄ２(Ｄ２＞Ｄ１)遅延させて前記入力切替部に供給する第２の遅延部と、前記出力異常検出信号を時間Ｄ３(Ｄ３＞Ｄ２)遅延させて前記出力切替部に供給する第３の遅延部とを備えた送信装置の二重系自動切替装置において、前記発振異常検出信号と前記入力異常検出信号及び前記出力異常検出信号を入力する制御部を設け、前記入力異常検出信号だけが入力されたときは前記第２の遅延部に設定されている時間Ｄ２を時間Ｄ１に変更し、前記出力異常検出信号だけが入力されたときは前記第３の遅延部に設定されている時間Ｄ３を時間Ｄ１に変更する動作が前記制御部により実行されるようにして達成される。
【発明の効果】
【００３０】
本発明によれば、送信機系統の何れにおいて異常が発生した場合でも、最短時間で自動切替が得られるので、現用系と予備系の切替えに際して、送信が不能になる時間、いわゆる停波時間を短縮することができる。
【発明を実施するための最良の形態】
【００３１】
以下、本発明に係る二重系自動切替装置について、図示の実施の形態により詳細に説明する。
【００３２】
ここで、図１が、本発明の一実施形態で、この図において、１６は制御部で、その他の構成要素は、図３で説明した従来技術の場合と同じである。
【００３３】
従って、この実施形態でも、まず発振器１、２が所定の周波数の正弦波信号を発生し、発振切替部７により現用系Ｘと予備系Ｙの一方が選択されて取り出され、発振異常検出部８を介してＯＦＤＭ変調器３、４の各々に、ＯＦＤＭ変調の基準信号ＲＥＦとして供給される点は、従来技術と同じである。
【００３４】
また、このときＯＦＤＭ変調器３、４には、それぞれテレビジョン放送用の入力信号が入力されていて、この入力信号が各ＯＦＤＭ変調器３、４でＯＦＤＭ変調され、入力切替部１０でＯＦＤＭ信号の現用系Ｘと予備系Ｙが選択され、送信機５、６に供給される点も従来技術と同じである。
【００３５】
そして、このＯＦＤＭ信号が送信機５、６により周波数変換され、所定のレベルに電力増幅された上で、出力切替部１３により現用系Ｘと予備系Ｙの一方が選択され、アンテナなどの伝送系に出力されるようになっている点も従来技術と同じである。
【００３６】
更に、この実施形態でも、発振切替部７で選択された基準信号ＲＥＦのレベルに応じて、発振異常検出部８が発振異常検出信号ａを発生する点と、入力切替部１０で選択されたＯＦＤＭ信号のレベルに応じて、入力異常検出部１１が入力異常検出信号ｃを発生する点、それに出力切替部１４で選択された送信出力信号のレベルに応じて、出力異常検出部１４が出力異常検出信号ｅを発生する点のそれぞれも従来技術と同じである。
【００３７】
しかして、この図１の実施形態では、制御部１６を備え、これにより、入力異常検出部１１から入力異常信号ｃが発生された場合と、出力異常検出部１４から出力異常信号ｅが発生された場合では異なった動作が実行されるようになっており、この点では図３の従来技術の場合とは異なっている。
【００３８】
ここで、この制御部１６は、ＣＰＵ(Central Processing Unit)、つまり、いわゆるマイコンで構成されていて、図示のように、発振異常検出部８と入力異常検出部１１、それに出力異常検出部１４の各々から、それぞれ発振異常検出信号ａと入力異常検出信号ｃ、それに出力異常検出信号ｅを取り込み、これらの演算結果により、遅延タイマー１２の遅延時間Ｄ２と、遅延タイマー１５の遅延時間Ｄ３を変更する働きをする。
【００３９】
このとき、制御部１６は、遅延タイマー９に設定されている遅延時間Ｄ１については、何も変更は加えないようになっており、従って、遅延タイマー９、１２、１５の遅延時間Ｄ１、Ｄ２、Ｄ３については、従来技術の場合と同じで、Ｄ１＜Ｄ２＜Ｄ３に設定してある。
【００４０】
そして、このときの遅延時間Ｄ１は、発振異常検出部８による異常検出が確実に得られるのに必要な時間に設定され、遅延時間Ｄ２は、これに余裕時間τを加えた時間(Ｄ１＋τ)に設定され、そして、遅延時間Ｄ３は、これに更に余裕時間τを加えた時間(Ｄ２＋τ＝Ｄ１＋２τ)に設定されている。
【００４１】
そして、この制御部１６は、まず、発振異常検出部８から発振異常検出信号ａが発生しただけのときには、遅延タイマー１２の遅延時間Ｄ２と遅延タイマー１５の遅延時間Ｄ３については何もせず、そのままにする。勿論、遅延タイマー９に設定されている遅延時間Ｄ１もそのままである。
【００４２】
従って、このときの動作、つまり、或る時刻Ｔ１で現用系Ｘの発振器１にだけ異常が発生した場合の動作は、上記した従来技術の場合と同じで、図４に示すようになり、従って、この場合の現用系Ｘから予備系Ｙへの切替わり時間も、同じく遅延タイマー９に設定されている遅延時間Ｄ１となる。
【００４３】
一方、この制御部１６は、入力異常検出部１１から入力異常検出信号ｃが発生された場合には、図２(a)のフローチャートに従った処理を実行し、出力異常検出部１４から異常信号ｅが発生された場合には、図２(b)のフローチャートに従った処理を実行するように構成されている。
【００４４】
そして、まず、入力異常が発生した場合、つまり入力異常検出部１１から入力異常検出信号ｃが発生された場合には、図２(a)に示すように、発振異常が発生していないことを条件としてステップＳ１を実行し、遅延タイマー１２の遅延時間Ｄ２を遅延時間Ｄ１に変更するが、ここで発振異常が発生していた場合、つまり発振異常検出信号ａも発生していた場合はステップＳ２を実行して遅延タイマー１２の遅延時間Ｄ２は変更せず、遅延時間Ｄ２のままにする。
【００４５】
次に、出力異常が発生した場合、つまり出力異常検出部１４から出力異常検出信号ｅが発生された場合には、図２(b)に示すように、入力異常が発生していないことを条件としてステップＳ３を実行し、遅延タイマー１５の遅延時間Ｄ３を遅延時間Ｄ１に変更するが、ここで入力異常が発生していた場合、つまり入力異常検出信号ｃも発生していた場合はステップＳ４を実行して遅延タイマー１５の遅延時間Ｄ３を遅延時間Ｄ２とし、更に発振異常も発生していた場合、つまり発振異常検出信号ａも発生していた場合はステップＳ４を実行し、遅延タイマー１５の遅延時間Ｄ３は変更せず、そのままにする。
【００４６】
そこで、この実施形態によれば、
(1) 発振異常だけが発生した場合
(2) 入力異常だけが発生した場合
(3) 出力異常だけが発生した場合
のそれぞれとして、以下の動作が得られることになる。
【００４７】
(1)
発振異常だけが発生した場合、つまり現用系Ｘの発振器１にだけ異常が発生した場合は、上記した従来技術の場合と同じく図４に示す動作になり、従って、この場合の現用系Ｘから予備系Ｙへの切替わり時間は遅延タイマー９に設定されている遅延時間Ｄ１で決る。
【００４８】
このとき、入力異常も併せて発生されてしまうので、図２(a)のステップＳ２が実行され、この結果、遅延タイマー１２の遅延時間Ｄ２はそのままの時間Ｄ２にとどめられる。
【００４９】
そこで、この時間Ｄ２が経過するまでの間の期間内で時間Ｄ１が経過したとき、入力異常がなくなってしまうことから、この遅延タイマー１２からタイマ信号ｄが発生されることはなく、出力切替部１０が切替えられることもない。
【００５０】
また、ことのきは、更に出力異常も併せて発生されてしまうので、図２(b)のステップＳ４も実行され、この結果、遅延タイマー１５の遅延時間Ｄ３はそのままの時間Ｄ３にとどめられる。
【００５１】
そこで、この場合も、この時間Ｄ３が経過するまでの間の期間内で時間Ｄ１が経過したとき、出力異常がなくなってしまうことから、この遅延タイマー１５からタイマ信号ｆが発生されることはなく、勿論、出力切替部１３が切替えられることもない。
【００５２】
従って、上記したように、従来技術の場合と同じく図４に示す動作になり、現用系Ｘから予備系Ｙへの切替わり時間が遅延タイマー９に設定されている遅延時間Ｄ１で決ることに変わりはない。
【００５３】
(2)
入力異常だけが発生した場合、つまり現用系ＸのＯＦＤＭ変調器３にだけ異常が発生した場合は、図２(a)のステップＳ１が実行されるので、遅延タイマー１２の遅延時間はＤ１に変更され、この結果、時間Ｄ１が経過後、入力切替部１０が現用系Ｘから予備系Ｙに切替わる。
【００５４】
このとき、出力異常も併せて発生されてしまうが、この場合、図２(b)のステップＳ４が実行される。そして、この結果、遅延タイマー１５の遅延時間Ｄ３はそのままの時間Ｄ３にとどめられ、この時間Ｄ３が経過するまでの間の期間中で時間Ｄ１が経過したとき、出力異常がなくなってしまうことから、この遅延タイマー１５からタイマ信号ｆが発生されることはなく、出力切替部１３が切替えられることもない。
【００５５】
一方、このとき、発振異常は発生していないので、発振切替部７が動作することもなく、従って、この場合の現用系Ｘから予備系Ｙへの切替わり時間は遅延タイマー１０に設定された遅延時間Ｄ１で決る。
【００５６】
(3)
出力異常だけが発生した場合、つまり現用系Ｘの送信機５にだけ異常が発生した場合は、図２(b)のステップＳ３が実行されるので、遅延タイマー１５の遅延時間は時間Ｄ１に変更され、この結果、時間Ｄ１が経過後、出力切替部１３が現用系Ｘから予備系Ｙに切替わる。
【００５７】
そして、このときは、更に入力異常や発振異常が併せて発生されてしまうことはないから、発振切替部７や入力切替部１０が動作することはなく、この結果、遅延タイマー１５の遅延時間が時間Ｄ１に変更されたことによる問題が起こる虞れは何もなく、従って、この場合の現用系Ｘから予備系Ｙへの切替わり時間は遅延タイマー１５に設定された遅延時間Ｄ１で決る。
【００５８】
従って、この実施形態によれば、送信系統の何れの段階で異常が発生した場合でも、現用系Ｘから予備系Ｙへの切替わり時間が同じ時間Ｄ１になるので、異常切替時間を短くし、停波時間を最小限に抑えることができる。
【図面の簡単な説明】
【００５９】
【図１】本発明による二重系自動切替装置の一実施形態を示すブロック構成図である。
【図２】本発明の一実施形態の動作を説明するためのフローチャートである。
【図３】二重系自動切替装置の従来技術を示すブロック構成図である。
【図４】二重系自動切替装置の従来技術による切替動作を説明するためのタイミング図である。
【図５】二重系自動切替装置の従来技術による切替動作を説明するためのタイミング図である。
【図６】二重系自動切替装置の従来技術による切替動作を説明するためのタイミング図である。
【符号の説明】
【００６０】
１、２：発振器(現用系Ｘ、予備系Ｙ)
３、４：ＯＦＤＭ変調器(現用系Ｘ、予備系Ｙ)
５、６：送信機(現用系Ｘ、予備系Ｙ)
７：発振切替部
８：発振異常検出部
９：遅延タイマー(Ｄ１)
１０：入力切替部
１１：入力異常検出部
１２：遅延タイマー(Ｄ２)
１３：出力切替部
１４：出力異常検出部
１５：遅延タイマー(Ｄ３)
１６：制御部(ＣＰＵ)
ａ：発振異常検出信号
ｂ：タイマ信号(発振切替用)
ｃ：入力異常検出信号
ｄ：タイマ信号(入力切替用)
ｅ：出力異常検出信号
ｆ：タイマ信号(出力切替用)
ＲＥＦ：ＯＦＤＭ変調器の基準信号
【図１】
2005348132.tif 000003
【図２】
2005348132.tif 000004
【図３】
2005348132.tif 000005
【図４】
2005348132.tif 000006
【図５】
2005348132.tif 000007
【図６】
2005348132.tif 000008